(57)【要約】  本発明は、エネルギー調整器の新規な内部構造、エネルギー調整器の外部構造と取付構造との組立体、並びにＡ、Ｂ及びＧ主電極を有するエネルギー調整器を含む新規な回路を提供する。【特許請求の範囲】
【請求項１】
エネルギー調整器の内部構造であって：
当該内部構造は左側表面、右側表面、上側表面、下側表面、頂部表面及び底部表面を有し；
当該内部構造は誘電体材料及び導電性材料を有し；
前記誘電体材料の表面及び前記導電性材料の表面は、前記左側表面、前記右側表面、前記上側表面、前記下側表面、前記頂部表面及び前記底部表面を定め；
前記導電性材料は第１平面内に第１Ａ導電層及び第１Ｂ導電層を有し；
前記第１Ａ導電層及び前記第１Ｂ導電層は当該内部構造内で互いに電気的に絶縁され；
前記第１Ａ導電層は少なくとも１つの第１Ａ導電層第１タブ及び第１Ａ導電層本体部を有し；
前記第１Ｂ導電層は少なくとも１つの第１Ｂ導電層第１タブ及び第１Ｂ導電層本体部を有し；
前記第１Ａ導電層本体部は前記左側表面、前記右側表面、前記上側表面及び前記下側表面の何れにも延在せず；
前記第１Ｂ導電層本体部は前記左側表面、前記右側表面、前記上側表面及び前記下側表面の何れにも延在せず；
前記少なくとも１つの第１Ａ導電層第１タブは少なくとも前記左側表面、前記上側表面及び前記下側表面の部分群に延在し；且つ
前記少なくとも１つの第１Ｂ導電層第１タブは少なくとも前記右側表面、前記上側表面及び前記下側表面の部分群に延在する；
構造。
【請求項２】
前記第１Ａ導電層本体部は、前記左側表面より前記右側表面に近く且つ前記下側表面より前記上側表面に近い領域まで延在し、且つ前記第１Ｂ導電層本体部は、前記右側表面より前記左側表面に近く且つ前記上側表面より前記下側表面に近い領域まで延在する、請求項１に記載の構造。
【請求項３】
前記少なくとも１つの第１Ａ導電層第１タブは、前記左側表面の全体と前記上側表面の左側端部と前記下側表面の左側端部に延在する単一のタブを有する、請求項１に記載の構造。
【請求項４】
前記少なくとも１つの第１Ａ導電層第１タブは、少なくとも２つのタブを有する、請求項１に記載の構造。
【請求項５】
前記導電性材料は更に第１Ｇ導電層を有する、請求項１に記載の構造。
【請求項６】
前記導電性材料は更に前記第１Ａ導電層と前記第１Ｂ導電層との間に第１Ｇ導電層を有する、請求項１に記載の構造。
【請求項７】
前記導電性材料は更に前記第１平面に平行な第２平面内に第１Ｇ導電層を有し、且つ前記第１Ｇ導電層は、少なくとも前記第１Ａ導電層本体部の一部と前記第１Ｂ導電層本体部の一部とに対向する領域を有するＧ導電層本体部を有する、請求項１に記載の構造。
【請求項８】
前記導電性材料は第２平面内に第２Ａ導電層及び第２Ｂ導電層を有し；
前記第２Ａ導電層及び前記第２Ｂ導電層は当該内部構造内で互いに電気的に絶縁され；
前記第２Ａ導電層は少なくとも１つの第２Ａ導電層第１タブ及び第２Ａ導電層本体部を有し；
前記第２Ｂ導電層は少なくとも１つの第２Ｂ導電層第１タブ及び第２Ｂ導電層本体部を有し；
前記第２Ａ導電層本体部は前記左側表面、前記右側表面、前記上側表面及び前記下側表面の何れにも延在せず；
前記第２Ｂ導電層本体部は前記左側表面、前記右側表面、前記上側表面及び前記下側表面の何れにも延在せず；
前記少なくとも１つの第２Ａ導電層第１タブは少なくとも前記左側表面、前記上側表面及び前記下側表面の部分群に延在し；
前記少なくとも１つの第２Ｂ導電層第１タブは少なくとも前記右側表面、前記上側表面及び前記下側表面の部分群に延在し；
前記第２Ａ導電層本体部は、前記左側表面より前記右側表面に近く且つ前記上側表面より前記下側表面に近い領域まで延在し、且つ前記第２Ｂ導電層本体部は、前記右側表面より前記左側表面に近く且つ前記下側表面より前記上側表面に近い領域まで延在し、
それにより、前記第１Ａ導電層本体部及び前記第２Ｂ導電層本体部はそれらが実質的に重なり合う第１領域を有し、前記第２Ａ導電層本体部及び前記第１Ｂ導電層本体部はそれらが実質的に重なり合う第２領域を有する、
請求項１に記載の構造。
【請求項９】
前記導電性材料は更に第１Ｇ導電層を有し、且つ前記第１Ｇ導電層は前記第１領域と前記第２領域との双方に実質的に重なる本体部を有する、請求項８に記載の構造。
【請求項１０】
前記第１Ｇ導電層は前記第１平面と前記第２平面との間の第３平面内にある、請求項９に記載の構造。
【請求項１１】
前記導電性材料は更に：
前記第１Ａ導電層と前記第１Ｂ導電層との間にあり、且つ当該内部構造内で前記第１Ａ導電層と前記第１Ｂ導電層から電気的に絶縁された、前記第１平面内の第１Ｇ導電層；及び
前記第２Ａ導電層と前記第２Ｂ導電層との間にあり、且つ当該内部構造内で前記第２Ａ導電層と前記第２Ｂ導電層から電気的に絶縁された、前記第２平面内の第２Ｇ導電層；
を有する、請求項８に記載の構造。
【請求項１２】
前記第２Ｇ導電層は前記第１領域と前記第２領域との双方に実質的に重なる本体部を有する、請求項１１に記載の構造。
【請求項１３】
前記第１Ｇ導電層は前記第１平面と前記第２平面との間の第３平面内にある、請求項１２に記載の構造。
【請求項１４】
請求項１に記載の前記内部構造と前記エネルギー調整器の外部構造とを有する組立体であって、前記外部構造は：
前記左側表面、前記上側表面及び前記下側表面の少なくとも１つに沿って延在し、そこで前記少なくとも１つの第１Ａ導電層第１タブの少なくとも１つと接触する第１の導電性統合領域；及び
前記右側表面、前記上側表面及び前記下側表面の少なくとも１つに沿って延在し、そこで前記少なくとも１つの第１Ｂ導電層第１タブの少なくとも１つと接触する第２の導電性統合領域；
を有する、組立体。
【請求項１５】
前記内部構造は更に、Ｇ導電層本体部、Ｇ導電層第１タブ及びＧ導電層第２タブを含むＧ導電層を有し、且つ前記外部構造は更に、前記内部構造の少なくとも１つの側面に沿って延在し、そこで前記Ｇ導電層第１タブと接触する第３の導電性統合領域を有する、請求項１４に記載の組立体。
【請求項１６】
前記外部構造は更に、前記第３の導電性統合領域が延在する前記内部構造の前記１つの側面とは反対側の前記内部構造の少なくとも１つの側面に沿って延在し、そこで前記Ｇ導電層第２タブと接触する第４の導電性統合領域を有する、請求項１５に記載の組立体。
【請求項１７】
前記第１の導電性統合領域、前記第２の導電性統合領域、前記第３の導電性統合領域及び前記第４の導電性統合領域の少なくとも１つは半田から形成されている、請求項１６に記載の組立体。
【請求項１８】
前記第１の導電性統合領域、前記第２の導電性統合領域、前記第３の導電性統合領域及び前記第４の導電性統合領域の少なくとも１つは導電性バンドを有する、請求項１６に記載の組立体。
【請求項１９】
前記外部構造が取り付けられる取付構造を更に有し、前記取付構造は第１の導電性領域、第２の導電性領域及び第３の導電性領域のみから成る、請求項１６に記載の組立体。
【請求項２０】
前記第１の導電性領域は第１ビア内の導電材料を有し、前記第２の導電性領域は第２ビア内の導電材料を有し、且つ前記第３の導電性領域は第３ビア内の導電材料を有する、請求項１９に記載の組立体。
【請求項２１】
請求項１に記載の内部構造、電源及び負荷を有する回路であって、前記内部構造が回路１の構成で接続されている回路。
【請求項２２】
請求項１に記載の内部構造、電源及び負荷を有する回路であって、前記内部構造が回路２の構成で接続されている回路。
【請求項２３】
請求項１に記載の内部構造、電源及び負荷を有する回路であって、前記内部構造が回路３の構成で接続されている回路。
【請求項２４】
請求項１に記載の内部構造、第１の電源、第２の電源、第１の負荷及び第２の負荷を有する回路であって、前記内部構造が回路４の構成で接続されている回路。
【請求項２５】
請求項１に記載の内部構造、第１の電源、第１の負荷及び第２の負荷を有する回路であって、前記内部構造が回路５の構成で接続されている回路。
【請求項２６】
請求項１に記載の内部構造、第１の電源、第１の負荷及び第２の負荷を有する回路であって、前記内部構造が回路６の構成で接続されている回路。
【請求項２７】
請求項１に記載の内部構造を有するエネルギー調整器；及び
取付構造；
を有する組立体であって：
前記内部構造は前記取付構造に取り付けられ；且つ
前記取付構造は３つ以下の別個の導電性要素を有する；
組立体。
【請求項２８】
エネルギー調整器の内部構造を形成する方法であって：
左側表面、右側表面、上側表面、下側表面、頂部表面及び底部表面を有する前記内部構造を設ける段階を有し；
前記内部構造は誘電体材料及び導電性材料を有し；
前記誘電体材料の表面及び前記導電性材料の表面は、前記左側表面、前記右側表面、前記上側表面、前記下側表面、前記頂部表面及び前記底部表面を定め；
前記導電性材料は第１平面内に第１Ａ導電層及び第１Ｂ導電層を有し；
前記第１Ａ導電層及び前記第１Ｂ導電層は前記内部構造内で互いに電気的に絶縁され；
前記第１Ａ導電層は少なくとも１つの第１Ａ導電層第１タブ及び第１Ａ導電層本体部を有し；
前記第１Ｂ導電層は少なくとも１つの第１Ｂ導電層第１タブ及び第１Ｂ導電層本体部を有し；
前記第１Ａ導電層本体部は前記左側表面、前記右側表面、前記上側表面及び前記下側表面の何れにも延在せず；
前記第１Ｂ導電層本体部は前記左側表面、前記右側表面、前記上側表面及び前記下側表面の何れにも延在せず；
前記少なくとも１つの第１Ａ導電層第１タブは少なくとも前記左側表面、前記上側表面及び前記下側表面の部分群に延在し；且つ
前記少なくとも１つの第１Ｂ導電層第１タブは少なくとも前記右側表面、前記上側表面及び前記下側表面の部分群に延在する；
方法。
【請求項２９】
エネルギー調整器の内部構造を用いる方法であって：
前記内部構造は左側表面、右側表面、上側表面、下側表面、頂部表面及び底部表面を有し；
前記内部構造は誘電体材料及び導電性材料を有し；
前記誘電体材料の表面及び前記導電性材料の表面は、前記左側表面、前記右側表面、前記上側表面、前記下側表面、前記頂部表面及び前記底部表面を定め；
前記導電性材料は第１平面内に第１Ａ導電層及び第１Ｂ導電層を有し；
前記第１Ａ導電層及び前記第１Ｂ導電層は前記内部構造内で互いに電気的に絶縁され；
前記第１Ａ導電層は少なくとも１つの第１Ａ導電層第１タブ及び第１Ａ導電層本体部を有し；
前記第１Ｂ導電層は少なくとも１つの第１Ｂ導電層第１タブ及び第１Ｂ導電層本体部を有し；
前記第１Ａ導電層本体部は前記左側表面、前記右側表面、前記上側表面及び前記下側表面の何れにも延在せず；
前記第１Ｂ導電層本体部は前記左側表面、前記右側表面、前記上側表面及び前記下側表面の何れにも延在せず；
前記少なくとも１つの第１Ａ導電層第１タブは少なくとも前記左側表面、前記上側表面及び前記下側表面の部分群に延在し；
前記少なくとも１つの第１Ｂ導電層第１タブは少なくとも前記右側表面、前記上側表面及び前記下側表面の部分群に延在し；且つ
当該方法は前記内部構造を回路に接続する段階を有する、方法。
【請求項３０】
Ａ、Ｂ及びＧの主電極の要素群を含む内部構造、及び前記Ａ主電極の要素群を相互に、前記Ｂ主電極の要素群を相互に、そして前記Ｇ主電極の要素群を相互に導電的に接続する導電領域群を有する外部構造を有するエネルギー調整器；及び
取付構造；
を有する組立体であって：
前記内部構造は前記取付構造に取り付けられ；
前記取付構造は第１の導電性領域、第２の導電性領域及び第３の導電性領域のみから成り；且つ
前記Ａ主電極は前記第１の導電性領域に接触し、前記Ｂ主電極は前記第２の導電性領域に接触し、前記Ｇ主電極は前記第３の導電性領域に接触する；
組立体。
【請求項３１】
前記Ｇ主電極は、第１のＧ導電性統合領域、及び前記第１のＧ導電性統合領域から空間的に隔てられ該統合領域に接触しない第２のＧ導電性統合領域を含み、前記第１のＧ導電性統合領域及び前記第２のＧ導電性統合領域の双方が前記第３の導電性領域に接触する、請求項３０に記載の組立体。
【請求項３２】
組立体を形成する方法であって：
Ａ、Ｂ及びＧの主電極の要素群を含む内部構造、及び前記Ａ主電極の要素群を相互に、前記Ｂ主電極の要素群を相互に、そして前記Ｇ主電極の要素群を相互に導電的に接続する導電領域群を有する外部構造を有するエネルギー調整器を設ける段階；
取付構造を設ける段階；及び
前記内部構造を前記取付構造に取り付ける段階；
を有し、
前記取付構造は第１の導電性領域、第２の導電性領域及び第３の導電性領域のみから成り；且つ
前記Ａ主電極は前記第１の導電性領域に接触し、前記Ｂ主電極は前記第２の導電性領域に接触し、前記Ｇ主電極は前記第３の導電性領域に接触する；
方法。
【請求項３３】
組立体を使用する方法であって、前記組立体は：
Ａ、Ｂ及びＧの主電極の要素群を含む内部構造、及び前記Ａ主電極の要素群を相互に、前記Ｂ主電極の要素群を相互に、そして前記Ｇ主電極の要素群を相互に導電的に接続する導電領域群を有する外部構造を有するエネルギー調整器；及び
取付構造；
を有し、
前記内部構造は前記取付構造に取り付けられ；
前記取付構造は第１の導電性領域、第２の導電性領域及び第３の導電性領域のみから成り；
前記Ａ主電極は前記第１の導電性領域に接触し、前記Ｂ主電極は前記第２の導電性領域に接触し、前記Ｇ主電極は前記第３の導電性領域に接触し；且つ
当該方法は前記取付構造に取り付けられた前記エネルギー調整器を回路に接続する段階を有する；
方法。
【請求項３４】
エネルギー調整器の内部構造であって：
当該内部構造は左側表面、右側表面、上側表面、下側表面、頂部表面及び底部表面を有し；
当該内部構造は誘電体材料及び導電性材料を有し；
前記誘電体材料の表面及び前記導電性材料の表面は、前記左側表面、前記右側表面、前記上側表面、前記下側表面、前記頂部表面及び前記底部表面を定め；
前記導電性材料は、頂部から底部に向けてＡ１、Ｇ１、Ｂ１、Ｇ１、Ａ１、Ｇ１及びＢ１の順になった少なくとも７つの導電層から成る積層体を有し；
前記Ａ１導電層の各々は、前記左側表面付近の前記上側表面に延在するＡ１タブ、及び前記左側表面付近の前記下側表面に延在するＡ２タブを有し；
前記Ｇ１導電層の各々は、前記左側表面に延在するＧ１タブ、及び前記右側表面に延在するＧ２タブを有し；且つ
前記Ｂ１導電層の各々は、前記右側表面付近の前記上側表面に延在するＢ１タブ、及び前記右側表面付近の前記下側表面に延在するＢ２タブを有する；
構造。
【請求項３５】
Ａ１導電層群のＡ１タブ群は相互に積層方向に重なりを有し；
Ａ１導電層群のＡ２タブ群は相互に積層方向に重なりを有し；
Ｂ１導電層群のＢ１タブ群は相互に積層方向に重なりを有し；
Ｂ１導電層群のＢ２タブ群は相互に積層方向に重なりを有し；
Ｇ１導電層群のＧ１タブ群は相互に積層方向に重なりを有し；且つ
Ｇ１導電層群のＧ２タブ群は相互に積層方向に重なりを有する；
請求項３４に記載の構造。
【請求項３６】
前記７つの導電層から成る前記積層体内に挿入された少なくとも１つの更なるＧ１層を更に有する請求項３４に記載の構造。
【請求項３７】
全てのＡ１タブに接触する第１の導電性統合領域；
全てのＡ２タブに接触する第２の導電性統合領域；
全てのＢ１タブに接触する第３の導電性統合領域；
全てのＢ２タブに接触する第４の導電性統合領域；
全てのＧ１タブに接触する第５の導電性統合領域；及び
全てのＧ２タブに接触する第６の導電性統合領域；
を更に有する請求項３４に記載の構造。
【請求項３８】
エネルギー調整器、第１の電源及び第１の負荷；
を有する回路であって：
前記エネルギー調整器はＡ主電極、Ｂ主電極及びＧ主電極を有し；且つ
当該回路は回路３の構成を有する；
回路。
【請求項３９】
エネルギー調整器、第１の電源、第２の電源、第１の負荷及び第２の負荷；
を有する回路であって：
前記エネルギー調整器はＡ主電極、Ｂ主電極及びＧ主電極を有し；且つ
当該回路は回路４の構成を有する；
回路。
【請求項４０】
エネルギー調整器、第１の電源、第１の負荷及び第２の負荷；
を有する回路であって：
前記エネルギー調整器はＡ主電極、Ｂ主電極及びＧ主電極を有し；且つ
当該回路は回路５の構成を有する；
回路。
【請求項４１】
エネルギー調整器、第１の電源、第１の負荷及び第２の負荷；
を有する回路であって：
前記エネルギー調整器はＡ主電極、Ｂ主電極及びＧ主電極を有し；且つ
当該回路は回路６の構成を有する；
回路。
【発明の詳細な説明】
【技術分野】
【０００１】
本発明はエネルギー調整に関する。
【背景技術】
【０００２】
低周波数の電力を用いる電気回路は、電力分配システムを介して結合されるノイズを発生する。このノイズは一般的に弊害をもたらす。従来、装置との間で伝播する電力を調整するためにキャパシタが用いられてきた。電力を調整するためにキャパシタが使用されてきた装置の１つの種類は能動回路である。能動回路において、電源ラインからノイズを分離するためにキャパシタが使用されてきた。典型的に、大規模又は超大規模（ＬＳＩ又はＶＬＳＩ）な集積回路（ＩＣ）を必要とする用途においては、複数列のキャパシタがプリント基板上に、設計上の制約下でプリント基板内のＩＣの位置に可能な限り近接させて配列される。この構成により、ＩＣの能動回路からの電源及びグランドの十分なデカップリングがもたらされる。ここでは、用語“バイパス”と“デカップリング”とは相互に入れ替え可能に使用される。
【発明の開示】
【発明が解決しようとする課題】
【０００３】
本発明は、概して調整器ごとのデカップリングを向上させ、且つ必要とする調整器及び例えばビアなどの十分なデカップリングを提供する関連構造が少なくてすむ、新規なエネルギー調整器構造、プリント基板構造等の他の構造上へのエネルギー調整器の接続の新規な組み合わせ、及びプリント基板等の構造を有するエネルギー調整器の新規な回路構成を提供することを目的とする。プリント基板と同様に、新規な調整器や、エネルギー調整器の接続の新規な組み合わせが適用され得る構造は、第１階層の相互接続と、例えばＡＳＩＣ、ＦＰＧＡ、ＣＰＵ、メモリ、送受信器、コンピュータ・オン・チップ等を含む半導体チップとを含む。
【０００４】
本発明は、より具体的には、エネルギー調整器の内部構造及び外部構造、接続構造、並びにＡ、Ｂ及びＧの主電極（マスター電極）を有するエネルギー調整器を含む回路を提供することを目的とする。
【課題を解決するための手段】
【０００５】
本発明の一態様に従ったエネルギー調整器の内部構造にあっては：
当該内部構造は左側表面、右側表面、上側表面、下側表面、頂部表面及び底部表面を有し；
当該内部構造は誘電体材料及び導電性材料を有し；
前記誘電体材料の表面及び前記導電性材料の表面は、前記左側表面、前記右側表面、前記上側表面、前記下側表面、前記頂部表面及び前記底部表面を定め；
前記導電性材料は第１平面内に第１Ａ導電層及び第１Ｂ導電層を有し；
前記第１Ａ導電層及び前記第１Ｂ導電層は当該内部構造内で互いに電気的に絶縁され；
前記第１Ａ導電層は少なくとも１つの第１Ａ導電層第１タブ及び第１Ａ導電層本体部を有し；
前記第１Ｂ導電層は少なくとも１つの第１Ｂ導電層第１タブ及び第１Ｂ導電層本体部を有し；
前記第１Ａ導電層本体部は前記左側表面、前記右側表面、前記上側表面及び前記下側表面の何れにも延在せず；
前記第１Ｂ導電層本体部は前記左側表面、前記右側表面、前記上側表面及び前記下側表面の何れにも延在せず；
前記少なくとも１つの第１Ａ導電層第１タブは少なくとも前記左側表面、前記上側表面及び前記下側表面の部分群に延在し；且つ
前記少なくとも１つの第１Ｂ導電層第１タブは少なくとも前記右側表面、前記上側表面及び前記下側表面の部分群に延在する。
【０００６】
上記の内部構造に従った様々な態様においては、前記第１Ａ導電層本体部は、前記左側表面より前記右側表面に近く且つ前記下側表面より前記上側表面に近い領域まで延在し、且つ前記第１Ｂ導電層本体部は、前記右側表面より前記左側表面に近く且つ前記上側表面より前記下側表面に近い領域まで延在する。前記少なくとも１つの第１Ａ導電層第１タブは、前記左側表面の全体と前記上側表面の左側端部と前記下側表面の左側端部に延在する単一のタブを有する。前記少なくとも１つの第１Ａ導電層第１タブは、少なくとも２つのタブを有する。前記導電性材料は更に第１Ｇ導電層を有する。前記導電性材料は更に前記第１Ａ導電層と前記第１Ｂ導電層との間に第１Ｇ導電層を有する。前記導電性材料は更に前記第１平面に平行な第２平面内に第１Ｇ導電層を有し、且つ前記第１Ｇ導電層は、少なくとも前記第１Ａ導電層本体部の一部と前記第１Ｂ導電層本体部の一部とに対向する領域を有するＧ導電層本体部を有する。前記導電性材料は第２平面内に第２Ａ導電層及び第２Ｂ導電層を有し；前記第２Ａ導電層及び前記第２Ｂ導電層は当該内部構造内で互いに電気的に絶縁され；前記第２Ａ導電層は少なくとも１つの第２Ａ導電層第１タブ及び第２Ａ導電層本体部を有し；前記第２Ｂ導電層は少なくとも１つの第２Ｂ導電層第１タブ及び第２Ｂ導電層本体部を有し；前記第２Ａ導電層本体部は前記左側表面、前記右側表面、前記上側表面及び前記下側表面の何れにも延在せず；前記第２Ｂ導電層本体部は前記左側表面、前記右側表面、前記上側表面及び前記下側表面の何れにも延在せず；前記少なくとも１つの第２Ａ導電層第１タブは少なくとも前記左側表面、前記上側表面及び前記下側表面の部分群に延在し；前記少なくとも１つの第２Ｂ導電層第１タブは少なくとも前記右側表面、前記上側表面及び前記下側表面の部分群に延在し；前記第２Ａ導電層本体部は、前記左側表面より前記右側表面に近く且つ前記上側表面より前記下側表面に近い領域まで延在し、且つ前記第２Ｂ導電層本体部は、前記右側表面より前記左側表面に近く且つ前記下側表面より前記上側表面に近い領域まで延在し、それにより、前記第１Ａ導電層本体部及び前記第２Ｂ導電層本体部はそれらが実質的に重なり合う第１領域を有し、前記第２Ａ導電層本体部及び前記第１Ｂ導電層本体部はそれらが実質的に重なり合う第２領域を有する。前記導電性材料は更に第１Ｇ導電層を有し、且つ前記第１Ｇ導電層は前記第１領域と前記第２領域との双方に実質的に重なる本体部を有する。前記第１Ｇ導電層は前記第１平面と前記第２平面との間の第３平面内にある。前記導電性材料は更に：前記第１Ａ導電層と前記第１Ｂ導電層との間にあり、且つ当該内部構造内で前記第１Ａ導電層と前記第１Ｂ導電層から電気的に絶縁された、前記第１平面内の第１Ｇ導電層；及び前記第２Ａ導電層と前記第２Ｂ導電層との間にあり、且つ当該内部構造内で前記第２Ａ導電層と前記第２Ｂ導電層から電気的に絶縁された、前記第２平面内の第２Ｇ導電層；を有する。前記第２Ｇ導電層は前記第１領域と前記第２領域との双方に実質的に重なる本体部を有する。前記第１Ｇ導電層は前記第１平面と前記第２平面との間の第３平面内にある。
【０００７】
本発明の第２の態様に従った、前記内部構造と前記エネルギー調整器の外部構造とを有する組立体にあっては、前記外部構造は：前記左側表面、前記上側表面及び前記下側表面の少なくとも１つに沿って延在し、そこで前記少なくとも１つの第１Ａ導電層第１タブの少なくとも１つと接触する第１の導電性統合領域；及び前記右側表面、前記上側表面及び前記下側表面の少なくとも１つに沿って延在し、そこで前記少なくとも１つの第１Ｂ導電層第１タブの少なくとも１つと接触する第２の導電性統合領域；を有する。
【０００８】
前記内部構造は更に、Ｇ導電層本体部、Ｇ導電層第１タブ及びＧ導電層第２タブを含むＧ導電層を有し、且つ前記外部構造は更に、前記内部構造の少なくとも１つの側面に沿って延在し、そこで前記Ｇ導電層第１タブと接触する第３の導電性統合領域を有する。
【０００９】
上記の組立体に従った様々な態様においては、前記外部構造は更に、前記第３の導電性統合領域が延在する前記内部構造の前記１つの側面とは反対側の前記内部構造の少なくとも１つの側面に沿って延在し、そこで前記Ｇ導電層第２タブと接触する第４の導電性統合領域を有する。前記第１の導電性統合領域、前記第２の導電性統合領域、前記第３の導電性統合領域及び前記第４の導電性統合領域の少なくとも１つは半田から形成されている。前記第１の導電性統合領域、前記第２の導電性統合領域、前記第３の導電性統合領域及び前記第４の導電性統合領域の少なくとも１つは導電性バンドを有する。前記外部構造が取り付けられる取付構造を更に有し、前記取付構造は第１の導電性領域、第２の導電性領域及び第３の導電性領域のみから成る。前記第１の導電性領域は第１ビア内の導電材料を有し、前記第２の導電性領域は第２ビア内の導電材料を有し、且つ前記第３の導電性領域は第３ビア内の導電材料を有する。
【００１０】
本発明の第３の態様に従った様々な回路において、回路は、同一平面内のＡ及びＢ層と少なくとも３つの側面に延在するタブとを有するエネルギー調整器の内部構造、電源及び負荷を有し、前記内部構造は回路１の構成で接続されている。回路は、同一平面内のＡ及びＢ層と少なくとも３つの側面に延在するタブとを有するエネルギー調整器の内部構造、電源及び負荷を有し、前記内部構造は回路２の構成で接続されている。回路は、Ａ、Ｂ及びＧ主電極の要素を有するエネルギー調整器の内部構造、電源及び負荷を有し、前記内部構造は回路３の構成で接続されている。回路は、Ａ、Ｂ及びＧ主電極の要素を有するエネルギー調整器の内部構造、第１の電源、第２の電源、第１の負荷及び第２の負荷を有し、前記内部構造は回路４の構成で接続されている。回路は、Ａ、Ｂ及びＧ主電極の要素を有するエネルギー調整器の内部構造、第１の電源、第１の負荷及び第２の負荷を有し、前記内部構造は回路５の構成で接続されている。回路は、Ａ、Ｂ及びＧ主電極の要素を有するエネルギー調整器の内部構造、第１の電源、第１の負荷及び第２の負荷を有し、前記内部構造は回路６の構成で接続されている。
【００１１】
更なる態様に従った組立体は、内部構造を有するエネルギー調整器；及び取付構造を有し、前記内部構造は前記取付構造に取り付けられ；且つ前記取付構造は３つ以下の別個の導電性要素を有する。組立体は、Ａ、Ｂ及びＧの主電極の要素群を含む内部構造、及び前記Ａ主電極の要素群を相互に、前記Ｂ主電極の要素群を相互に、そして前記Ｇ主電極の要素群を相互に導電的に接続する導電領域群を有する外部構造を有するエネルギー調整器；及び取付構造を有し、前記内部構造は前記取付構造に取り付けられ；前記取付構造は第１の導電性領域、第２の導電性領域及び第３の導電性領域のみから成り；且つ前記Ａ主電極は前記第１の導電性領域に接触し、前記Ｂ主電極は前記第２の導電性領域に接触し、前記Ｇ主電極は前記第３の導電性領域に接触する。
【００１２】
更なる態様において、前記Ｇ主電極は、第１のＧ導電性統合領域、及び前記第１のＧ導電性統合領域から空間的に隔てられ該統合領域に接触しない第２のＧ導電性統合領域を含み、前記第１のＧ導電性統合領域及び前記第２のＧ導電性統合領域の双方が前記第３の導電性領域に接触する。
【００１３】
他の一態様に従ったエネルギー調整器の内部構造においては：当該内部構造は左側表面、右側表面、上側表面、下側表面、頂部表面及び底部表面を有し；当該内部構造は誘電体材料及び導電性材料を有し；前記誘電体材料の表面及び前記導電性材料の表面は、前記左側表面、前記右側表面、前記上側表面、前記下側表面、前記頂部表面及び前記底部表面を定め；前記導電性材料は、頂部から底部に向けてＡ１、Ｇ１、Ｂ１、Ｇ１、Ａ１、Ｇ１及びＢ１の順になった少なくとも７つの導電層から成る積層体を有し；前記Ａ１導電層の各々は、前記左側表面付近の前記上側表面に延在するＡ１タブ、及び前記左側表面付近の前記下側表面に延在するＡ２タブを有し；前記Ｇ１導電層の各々は、前記左側表面に延在するＧ１タブ、及び前記右側表面に延在するＧ２タブを有し；且つ前記Ｂ１導電層の各々は、前記右側表面付近の前記上側表面に延在するＢ１タブ、及び前記右側表面付近の前記下側表面に延在するＢ２タブを有する。これに従った態様において、同一種類の各タブは同一種類のその他全てのタブと上下（積層）方向の重なりを有し、導電性統合領域は同一種類のみの層群を相互に接続し、更なる導電層が７つの層の並び内に存在する。
【発明を実施するための最良の形態】
【００１４】
図面は本発明の実施形態の構成要素を示している。相異なる図面における同一の参照符号は、同一の要素、又は類似の構造若しくは機能を有する要素を参照するものである。
【００１５】
図１Ａはプリント基板1を示しており、プリント基板1は側面2、3、4及び5、頂部表面6、別個のキャパシタを取り付けるための構造の配列7、並びにＩＣを取り付けるための領域8を有している。配列7の各辺は例えば列9及び10等の複数の列を定めている。配列7の各要素は別個のキャパシタを取り付ける取付構造を表している。従来のプリント基板は、しばしば、キャパシタを取り付けるための構造を２列以上含む配列を有する。各々の列はキャパシタを取り付けるための数個から何十個という要素の配列を有し得る。基板は、配列7の要素に取り付けられたキャパシタがＩＣへの電力を能動回路から十分に分離し、それによりＩＣ及び結合されたその他の回路が意図されたように機能するように設計される。
【００１６】
従来のキャパシタは２端子の個別（ディスクリート）デバイスである。
【００１７】
図１Ｂは基板1の一部を示しており、電源11、グランド12、配列7の１つの要素に対応する取付構造13、配列7の他の１つの要素に対応する取付構造14、電源面15、及びグランド面16を示している。また、図１Ｂは、取付構造13の下のビア17、18及び19等の、各取付構造から下方に延在する３つのビアを示している。３つ以上のビアを使用することにより、例えば３端子エネルギー調整器などの、従来とは異なるデバイスを取り付けることが可能になる。
【００１８】
動作時、電源11は基板1に取り付けられた回路要素群に、該電源11の電源面15への導電性接続を介して電力を分配する。グランド面16はグランド12に導電接続されている。ビア17及び19は電源面15に導電接続されている。ビア18は電源面15に導電接続されておらず、代わりに電源面15の開口を通ってグランド面16まで達している。電源面15はグランド面16の上方にある。
【００１９】
図２Ａは、基板1に搭載されたエネルギー調整器201を含む組立体200を示している。基板1は、対向する矢印206間の間隔により示される距離205だけ調整器201を基板表面6から隔てるパッド202、203、204を含んでいる。ビア17、18、19は対向する矢印208間の間隔により示されるような幅207を有している。
【００２０】
図２Ｂは調整器201の下方の更なる構造を示しており、この構造は更なる電源面、グランド面及び／又は信号面208、209、210と、ビア18内の導電路が電源面15に短絡することなく電源面15を通過するように通る開口211を含んでいる。更なる電源面、グランド面及び／又は信号面は如何なる具体的な基板内に存在していてもよい。
【００２１】
動作時、１つ以上の電源面を介した電源11からの給電により、領域8に搭載されたＩＣの能動回路が動作するための電力が供給される。配列7の要素群に配列要素当たり１つずつ搭載された調整器群は、さもなければＩＣの能動回路内でのスイッチング等により電力に誘起されるであろう過渡現象をデカップリングする。
【００２２】
図３Ａ乃至３Ｋは、ここで開示される特定の新規エネルギー調整器の外表面3A乃至3Kを示す斜視図である。図３Ａ乃至３Ｋにおいて、“C”は導電性材料を示し、“D”は（電気的に絶縁性の）誘電体を示している。導電性部分Cはここでは帯（バンド）又は外部端子とも呼ばれ得る。
【００２３】
以下にて開示されるエネルギー調整器の内部構造とともに説明するため、図３Ａは、各々がC1、C2、C3及びC4と表記される導電性バンドCを示し、図３Ｇは、各々がC1−C6と表記される導電性バンドCを示している。
【００２４】
図４Ａ乃至４Ｏは、新規の個別エネルギー調整器を１つ取り付けるための取付構造の導電性要素の構成を１つずつ示している。これらの構成はランドパターンとも呼ばれる。取付面はプリント基板の表面、第１階層の相互接続、又は半導体チップであってもよい。
【００２５】
図４Ａが示す取付面構造の構成4Aは、ほぼ長方形の形状をした３つの導電性パッド401、402、403の組を含んでいる。導電性パッド401、402、403は比較的長い辺（符号が付されていない側）と比較的短い辺とを有している。比較的短い辺には401A、402A、403Aの符号が付されている。比較的短い辺401A、402A、403Aは、１つの直線が全ての短辺401A、402A、403Aと実質的に接触するように互いに対して整列されている。導電性パッド401はビア401V1、401V2を含んでいる。導電性パッド402はビア402V1、402V2を含んでいる。導電性パッド403はビア403V1、403V2を含んでいる。ビア401V1、402V1、403V1は１つの直線がこれらと交差するように整列されている。ビア401V2、402V2、403V2も１つの直線がこれらと交差するように整列されている。
【００２６】
構成4Aの代替例においては、パッド群は互いに異なる大きさ、長さ又は幅を有していてもよい。例えば、パッド402はパッド401、403より短くてもよい。
【００２７】
構成4Aの他の代替例においては、外側のパッド群は中央のパッドとは異なる形状を有していてもよい。例えば、外側のパッド401、403は互いに等しい長さを有しながら、中央のパッド402より短かったり長かったりしてもよい。
【００２８】
構成4Aの他の代替例においては、ビアが導電性パッドの設置部内に完全に包含されないように、ビアは帰属するパッドの幅又は長さより大きい直径を有していてもよい。例えば、ビアの直径は導電性パッドの幅に等しくてもよいし、あるいは導電性パッドの幅の1.5倍、2倍又は3倍であってもよい。
【００２９】
構成4Aの他の代替例においては、ビアは互いに異なる断面直径を有していてもよい。例えば、中央のパッド402に接続されているビアの断面直径は、外側のパッド401、403に接続されているビアの断面直径の1/3倍、1/2倍、1倍、1.5倍、2倍又は3倍であってもよい。
【００３０】
構成4Aの他の代替例においては、ビア402V1、402V2は互いに対して、ビア401V1、401V2間の間隔及びビア403V1、403V2間の間隔より大きく、あるいは小さく離されていてもよい。
【００３１】
構成4Aの他の代替例においては、各導電性パッドは１つ、２つ、３つ又はそれより多くのビアを含んでいてもよい。例えば、各導電性パッド401、402、403は１つのビアを含んでいてもよい。あるいは、例えば、パッド401、403は２つ又は３つのビアを含み、パッド402は１つのビアを含んでいてもよい。また、例えば、パッド401、403は１つのビアを含み、パッド402は２つ又は３つのビアを含んでいてもよい。
【００３２】
構成4Aの他の代替例においては、以上の構成において、パッドは存在せずに単に導電性ビアのみが存在していてもよい。例えば、３つのビアを有する２つの平行な列である。
【００３３】
構成4Aの他の代替例においては、一部のパッドはビアを接続し、一部は接続していなくてもよい。例えば、中央のパッド402は１つ、２つ、３つ又はそれより多くのビアを含み、外側のパッド401、403はビアを含んでいなくてもよい。あるいは、例えば、中央のパッド402はビアを含んでおらず、外側のパッド401、403は１つ、２つ、３つ又はそれより多くのビアを含んでいてもよい。
【００３４】
構成4Aの他の代替例においては、ビアの断面は円形ではなく、例えば楕円形、細長い形状、又は不規則な形状であってもよい。
【００３５】
図４Ｂ−４Ｌは以上の代替例の様々な実施形態を示している。
【００３６】
図４Ｂは、パッド402のビアが互いに、パッド401又はパッド403のビア間隔より広く離されている取付構造の構成4Bを示している。
【００３７】
図４Ｃは、細長い楕円形の断面形状をしたビアを有する取付構造の構成4Cを示している。
【００３８】
図４Ｄは、パッド401、402、403の各々に単一のビアを有する取付構造の構成4Dを示している。
【００３９】
図４Ｅは、外側のパッド401、403が中央に位置付けられた１つのビアを有している取付構造の構成4Eを示している。
【００４０】
図４Ｆは、パッド401、402、403がビアを有していない取付構造の構成4Fを示している。この代替例においては、各パッドから導電配線がこの構造の表面に沿って延ばされる。
【００４１】
図４Ｇは、パッド401、402、403の各々が３つのビアを有し、各パッドの各ビアが他の２つのパッドのそれぞれ１つのビアに整列されている取付構造の構成4Gを示している。
【００４２】
図４Ｈは、各パッドに単一のビアを有し、中央のパッド402が外側のパッド401、403より短い取付構造の構成4Hを示している。
【００４３】
図４Ｉは、等しい長さのパッド401、402、403を有し、中央のパッド402は唯一のビアに接続され、外側のパッド401、403は２つのビアに接続されている取付面構造の構成4Iを示している。
【００４４】
図４Ｊは、３対のビアを有するがパッドを有していない取付構造の構成4Jを示している。
【００４５】
図４Ｋは、外側のパッド401、403は２つのビアに接続され、中央のパッド402は３つのビアに接続されている取付構造の構成4Kを示している。
【００４６】
図４Ｌは、中央のパッド402は１つのビアに接続され、外側のパッド401、403はビアを有していない取付構造の構成4Lを示している。
【００４７】
図４Ｍは、中央のパッド402がパッド401、403より、また該中央のパッド402内のビアより更に延在している取付構造の構成4Mを示している。
【００４８】
図４Ｎは、ビア410がビア411より大きい直径を有している取付構造の構成4Nを示している。また、大きいビア410は他の小さい直径のビア411より中央に位置付けられている。すなわち、図４Ｎは、互いに異なる寸法を有し、且つ接続されるエネルギー調整器に対して大きい方のビアがより中心近くに位置付けられる導電的に充填又は裏打ちされたビアによる利益を意図するものである。
【００４９】
図４Ｏは、中央のパッド402が対称的にパッド401、403より更に延在している取付構造4Oを示している。
【００５０】
好ましくは、各パッドのビアはパッド中央の両側に対称的に隔てられる。好ましくは、ビアの構成は中央のパッド402の中心点に関して対称である。
【００５１】
本発明の発明者により、取付構造の導電性要素とエネルギー調整器内のＡ、Ｂ及びＧ主電極（以下にて定められる）との間の導電性接続を提供する、取付構造（パッド、ビアの組み合わせ、大きさ及び形状）及びそれに取り付けられるエネルギー調整器の構成の全ての変形例が意図される。Ａ、Ｂ及びＧ主電極の各々は、エネルギー調整器の表面の一部を形成する領域を有するか、エネルギー調整器の表面の一部を形成する導電性バンド（外部電極）に内部で物理的に接触するかである。故に、Ａ、Ｂ及びＧ主電極への好適な接続を提供する、導電性バンド構造及び取付構造の全ての変形例が意図される。さらに、本発明の発明者により、基板に搭載されて半田付けされ（あるいは導電的に貼り付けられ）、それによりＡ、Ｂ及びＧ主電極を取付構造の導電性領域に接続することが可能な、導電性バンド（外部電極）を有しないエネルギー調整器の全ての変形例が意図される。
【００５２】
ここで、導電性統合領域は、主電極の層のタブへの接触を提供し、それによりそれら導電層を１つの主電極に導電的に一体化する導電性バンド又は等価な半田の何れかを意味する。タブは、エネルギー調整器の内部構造の導電層の内の、該内部構造の上側、下側、左側又は右側に延在する部分を意味する。内部構造の導電層の本体部分は、内部構造の上側、下側、左側又は右側には延在していない導電層部分を意味する。
【００５３】
故に、本発明の発明者により、調整器を表面に取り付けるための取付構造構成と、（１）Ａ、Ｂ及びＧ主電極のための好適な接続を提供するエネルギー調整器の導電性バンド又は露出されたＡ、Ｂ及びＧ主電極表面の何れかとの全ての組み合わせが意図される。
【００５４】
新規なエネルギー調整器と表面取付構造との一部の組み合わせは、（１）例えば半田接続などの、Ａ及びＢ主電極の片側に接続された１つ以上の、且つ好ましくは全ての導電性バンドへの第１の導電的且つ機械的な接触、（２）例えば半田接触などの、Ａ及びＢ主電極の反対側に接続された１つ以上の、且つ好ましくは全ての導電性バンドへの第１の導電的且つ機械的な接触、及び（３）Ｇ主電極の対向する端部の双方に接続された１つ以上の、且つ好ましくは全てのバンドへの第３の導電的な接触を提供する。電気的接触への以上の言及には、例えば誘電体のキャップ又は層がビアに沿って何処かに存在する場合のように、ＤＣ電流が遮断される状況も含まれる。
【００５５】
図５Ａは現段階で好ましい取付構造に関する幾何学量及び寸法を示している。図５Ｂは現段階で好ましい他の取付構造に関する幾何学量及び寸法を示している。
【００５６】
数値計算によって、図５Ａ及び５Ｂに示される値は０６０３Ｘ２Ｙ型エネルギー調整器が搭載されたときに優れたデカップリングを提供することが算出されている。０６０３Ｘ２Ｙ型キャパシタは1nFから100nFの静電容量と、それぞれ0.8、0.6、0.6及び0.4mmの公称長さ、幅、厚さ、及び高さを有している。これは、例えば、ＵＲＬ：http://www.yageo.com/pdf/X2Y_series_10.pdf?5423212=EE8DCCAFD2263EBA74A6443AF7A8BC75&4620207=に示されている。
【００５７】
図６Ａ及び６Ｂは各々、一定の外表面を有する新規なエネルギー調整器の、取付構造上の動作可能位置への結合を概略的に示している。
【００５８】
図６Ａは、取付構造4A上でのエネルギー調整器601の配置6Aを示している。調整器601は外表面構造3Aを有している。導電性バンドC1は導電性パッド401上にある。導電性バンドC2の一部は導電性パッド402の第１の端部上にある（何故なら、導電性バンドC2の端部は導電性パッド402を超えて延在している）。導電性バンドC3は導電性パッド403上にある。導電性バンドC4は導電性パッド402の第２の端部上にある。導電性パッド402の第１及び第２の端部は互いにエネルギー調整器601の反対側にある。ビアとパッドの見えない部分とは破線で示されている。
【００５９】
図６Ｂは、図４Ｏの構成4O上に取り付けられたエネルギー調整器602の構成6Bを示している。調整器602もまた外表面構造3Aを有している。導電性バンドC1、C3は導電性パッド402の対向端部付近に接触している。導電性バンドC4、C2はそれぞれ導電性パッド401、403に接触している。
【００６０】
図６Ｃは、取付構造4J上に取り付けられたエネルギー調整器603の構成6Cを示しており、この図は、調整器603の導電性バンド及び半田が取付構造4Jのビア上に位置整合されていることを示している。
【００６１】
図７−１２はＡ、Ｂ及びＧ主電極を有するエネルギー調整器を含み、これらの調整器の特別な特性に関係する回路を示している。Ｇ主電極は集中回路表記では接続箇所に意味を持たない単一の導電性構造であるにも拘わらず、Ｇ主電極の少なくとも２箇所、好ましくは互いに対して反対側の２箇所での接続は有意な効果をもたらすことが、本発明の発明者により突き止められた。回路図は表記の正確さのために集中回路モデルに頼っている。集中回路の図面において分布回路設計に関する幾何学的な要求を表現するため、ここでは、エネルギー調整器を概略的に、Ａ、Ｂ及びＧ端子を有する少なくとも３端子のデバイスとして表現する。各主電極には更に多くの端子が存在していてもよく、更なる主電極が同一部品内に集積されていてもよい。また、本発明の発明者により、Ａ、Ｂ及びＧ主電極構造に対するＡ、Ｂ及びＧ電極端子の相対的な位置がエネルギー調整器の性能に影響を及ぼし得ることが突き止められた。図７−１２は、故に、この主のエネルギー調整器に特有な回路を示している。
【００６２】
図７−１２において、外部端子AはＡ主電極に導電的に接続されており、外部端子BはＢ主電極に導電的に接続されており、外部端子G1はＧ主電極に導電的に接続されている。より具体的には図７−１２にて使用されているように、実施形態はＧ主電極の第１の側に導電的に接続された外部端子G1と、Ｇ主電極の異なる側に導電的に接続された外部端子G2などの、少なくとも２つのＧ外部端子を有する。
【００６３】
図７−１２の各々は調整器700と外部端子A、B、G1及びG2とを示している。Ｇ主電極は部分702、705によって表されており、Ａ及びＢ主電極はそれぞれ平坦な板状要素703、704によって表されている。調整器700の内部で、Ｇ主電極はＡ主電極とＢ主電極との間で間隔を設けて配置され、あるいはＢ主電極によるＡ主電極上での電荷蓄積の効果をシールドするよう作用する。これは、Ａ及びＢ主電極の平坦な板状要素703、704の間に延在するＧ主電極部分702によって概略的に表されている。Ｇ主電極部分705は、調整器700の外部空間に対してＡ及びＢ主電極をＧ主電極によってシールドすることを概略的に表している。
【００６４】
図７は、Ａ、Ｂ及びＧ主電極を有する調整器700に関する回路1の構成を示している。回路1において、外部端子Aは電源と負荷との間の導電路SのノードASに導電的に接続されている。また、外部端子Bは負荷と電源との間の帰還導電路RのノードBRに導電的に接続されている。さらに、外部端子G1及びG2の双方はグランド／一定電位源Pに導電的に接続されている。電源と負荷との間の導電路の上下の矢印は、ループ内を流れる電流を示している。
【００６５】
図８は、外部端子Aが経路SのノードASに結合され、外部端子Bがやはり経路SのノードBSに結合され、外部端子G1が経路RのノードG1Rに結合され、そして外部端子G2がやはり経路RのノードG2Rに結合された回路2の構成を示している。
【００６６】
図９は、外部端子Aが経路SのノードASに結合され、外部端子Bが経路RのノードBRに結合され、外部端子G1が経路RのノードG1Rに結合され、そして外部端子G2が経路RのノードG2Rに結合された回路3の構成を示している。
【００６７】
図１０は、外部端子Aが経路Sのノードに結合され、外部端子G1、B及びG2が経路Rのノードに結合された回路4の構成を示している。
【００６８】
図１１は、外部端子Aが第１の電源から負荷への電源経路S1のノードに結合され、外部端子Bが第２の電源から負荷への経路S2のノードに結合され、そして外部端子G1及びG2が共通の帰還経路CRに結合された回路5の構成を示している。
【００６９】
図１２は、外部端子Aが経路Rのノードに結合され、外部端子Bが経路Rのノードに結合され、そして外部端子G1及びG2が経路Sのノードに結合された回路6の構成を示している。
【００７０】
続いて、エネルギー調整器の内部構造の外部構造との関係について説明する。図１３−３３は、図３Ａ−３Ｋの外表面3A−3Kの内部の構造を概略的に示している。図１３−３３の導電層の構成は、Ａ主電極の導電層群が同一の導電性バンド又は一体となったバンド群と接触し、Ｂ主電極の導電層群が同一の導電性バンド又は一体となったバンド群と接触し、そしてＧ主電極の導電層群が同一の導電性バンド又は一体となったバンド群と接触するように、外表面3A−3Kに関連して構成されることができる。他の例では、導電性バンドに代えて、調整器の側部に付加された半田が、Ａ主電極の導電層群を相互に、Ｂ主電極の導電層群を相互に、そしてＧ主電極の導電層群を相互に導電的に接触させてもよい。同一の半田コンタクトはまた、図４Ａ−４Ｏに示された取付構造の対応する導電性領域に接触させられ得る。
【００７１】
続いて、“板”の意味、内部接続及びＩＣの代替実施形態について説明する。用語“板”は、ここでは概して、誘電体の下側層が０、１又は２以上の別個の導電性の上側層と結合されたものを定義することにより、説明を簡略化するために使用される。しかしながら、意味を有する構造は、誘電体材料によって隔てられた一連の導電層である。以下の図面において板として参照される構造の隠された表面は誘電体の表面、すなわち、定められた導電層を互いに上下（積層）方向に分離する誘電体材料を表している。個別（ディスクリート）エネルギー調整器部品の実施形態においては、この構造はしばしば、誘電体前駆物質（グリーン材料）を導電層の前駆物質（導電性ペースト等）と積層し、その積層化された構造を、誘電体前駆物質を所望の構造的に硬い誘電体材料に変化させ、且つ導電性前駆物質層を比較的高導電率（低抵抗率）の導電層に変化させるのに十分な温度で焼成することによって形成される。しかしながら、相互接続及び半導体構造内に形成される実施形態は、図１３−２５、２７、２９、３１及び３３に示される構造に等価な、あるいは対応する構造を製造するために、従来からのリソグラフィ技術を含む異なる技術を使用することになるであろう。重要なことは、以下にて説明されるスタック層の導電性バンド及び半田接続は、多くの場合、同一の主電極の導電層群を選択的に相互に接続する導電的に充填された、あるいは裏打ちされたビアの配列で置き換えられるということである。これらのビアは、好ましくは、ここで説明されるようにＡ、Ｂ及びＧの層群のタブ領域に選択的に接触するように空間を設けられる。
【００７２】
形成機構に拘わらず、デカップリングに機能的に重要であるものは、主電極の形態の存在、外部導電構造との組立体、取付構造との組立体、及び回路1乃至6への一体化である。
【００７３】
続いて、エネルギー調整器の内部構造に共通する特徴について説明する。主電極とは、エネルギー調整器内部の導電層又は導電性領域、及び１つの一体化された導電構造を形成するように、それらの導電層又は導電性領域に物理的に接触するエネルギー調整器内部構造のことを言う。
【００７４】
エネルギー調整器の内部構造は、他の導電層又は導電性領域から誘電体材料によって空間的に隔てられた導電層又は導電性領域を含んでいる。導電層又は導電性領域の各々は、誘電体材料の端部又は周囲まで延在するタブ領域を有している。各導電層の各タブ領域の端部は外表面の導電構造に接触させられている。外表面の導電構造は、個別エネルギー調整器に不可欠な導電性バンドであってもよいし、あるいは、やはりエネルギー調整器の内部構造を取付構造に取り付けるために使用される半田によってもよい。単一の主電極を形成するように設計された複数の導電層又は導電性領域を有するエネルギー調整器の内部構造においては、これら導電層又は導電性領域のタブは、単一の導電性タブがこれら導電層又は導電性領域に導電的に接続されて１つの主電極を形成するように、層の積層体内で上下方向に位置整合される。
【００７５】
他の例では、あるいは主電極の導電層又は導電性領域の外部に露出された端部に接続される導電性バンド又は半田に加えて、導電的に充填された、あるいは裏打ちされたビアが同一の導電層又は導電性領域に選択的に接続されてもよい。
【００７６】
続いて、エネルギー調整器の内部構造とエネルギー調整器の外部構造との間の関係について説明する。図１３−２５、２７、２９、３１及び３３に示されるエネルギー調整器の内部構造の各々は、２つの異なる構成をした図３Ａ−３Ｋの外表面3A−3Kの何れかに属していてもよい。一方の構成において、Ｇ主電極のＧ導電層の第１のタブの組は外表面3A−3Kの（図３Ａ−３Ｋに示される）左側及び右側にある。他方の構成においては、Ｇ主電極の同じＧ導電層の同じ第１のタブの組は外表面3A−3Kの（図３Ａ−３Ｋに示される）上側及び下側にある。図１３−２５、２７、２９、３１及び３３に示されるエネルギー調整器の内部構造、及び外表面3A−3Kの各々において、Ａ及びＢの主電極の導電層の各々は、外表面3A−3Kの対応する１つの少なくとも１つの導電性バンド（又は、半田が付加されるときには半田）に接触するように延在する領域を有している。
【００７７】
続いて、エネルギー調整器の内部構造、エネルギー調整器の外部構造、及び回路1−6の間の関係について説明する。少なくとも、Ａ及びＢの主電極が回路の同一の導電経路に結合されない回路（回路1、3、4及び5；図７−１２参照）においては、Ａ主電極の導電層又は導電層群は外表面3A−3K上で、Ｂ主電極の導電層又は導電層群と同一の導電性バンドには接触させられない。
【００７８】
少なくとも、Ａ主電極が回路のＧ主電極と同一の導電経路に結合されない回路（回路1−6；図７−１２参照）においては、Ａ主電極の導電層又は導電層群は外表面3A−3K上で、Ｇ主電極の導電層又は導電層群と同一の導電性バンドには接触させられない。
【００７９】
少なくとも、Ｂ主電極が回路のＧ主電極と同一の導電経路に結合されない回路（回路1、2及び6；図７−１２参照）においては、Ｂ主電極の導電層又は導電層群は外表面3A−3K上で、Ｇ主電極の導電層又は導電層群と同一の導電性バンドには接触させられない。
【００８０】
続いて、図１３−３３に示された様々な内部構造に共通する特徴について説明する。
【００８１】
図１３−３３は全て、Ｇ主電極が少なくとも２つの別個のタブを有する構造を示している。ここでは、タブは本体と比較して細くされたり狭くされたりする必要はない。その代わりに、タブは誘電体構造の端部まで延在していることのみを必要とする。しかしながら、図１３−３３に示されたＧ主電極の導電層の多くは、同一の導電層内の誘電体構造の端部に隣接しない領域に比較して細くされたり狭くされたりしているタブ領域を含んでいる。
【００８２】
図１３−１６、２１−２３は、各々が別個のタブを１つのみ有するＡ主電極の導電層及びＢ主電極の導電層を示している。
【００８３】
図１７−１９、２４、２５、２７、２９、３１及び３３は、各々が２つの別個のタブを有するＡ主電極の導電層及びＢ主電極の導電層を示している。
【００８４】
図２０は、各々が３つの別個のタブを有するＡ主電極の導電層及びＢ主電極の導電層を示している。
【００８５】
図１３、１６−２４が示す板は、それら板の少なくとも３つの端部の一部まで延在するＡ及びＢの主電極の導電層を有している。
【００８６】
図１３−２５、２７、２９、３１及び３３は、新規なエネルギー調整器の内部構造を示している。
【００８７】
図２８、３０及び３２は、それぞれ、図２７、２９及び３１の新規なエネルギー調整器の実施形態の外部構造を示している。
【００８８】
図１３−２５、２７、２９、３１及び３３が示す板は、各々が同一板内にＡ主電極の１つの導電層とＢ主電極の１つの導電層を有している。
【００８９】
図１３−２４が示す板の積層体は、各々の板が同一板内にＡ主電極の１つの導電層とＢ主電極の１つの導電層とを有しており、且つこれら２枚の板は、各図の紙面内で縦方向又は横方向に延在する対称線に関して互いに鏡像の関係にある。
【００９０】
図１３−２４は、（１）各々が同一板内にＡ主電極の１つの導電層とＢ主電極の１つの導電層とを有する構造、及び（２）１枚の板上のＡ主電極の導電層がもう１枚の板上のＢ主電極の導電層と実質的に重なるような板の積層体、の双方を示している。
【００９１】
図１３−２４が示す構造は、（１）第１の板がＡ主電極の１つの導電層とＢ主電極の１つの導電層とを含む表面を有し、（２）第２の板もやはりＡ主電極の１つの導電層とＢ主電極の１つの導電層とを含む表面を有し、第１の板のＡ主電極の導電層と第２の板のＢ主電極の導電層とが実質的な重なり領域を有し、且つ（３）第３の板が第１及び第２の板の間にあって上記の実質的な重なり領域全体に延在するＧ主電極の導電層を有する、板の積層体を含んでいる。
【００９２】
図２５、２７並びに図２２の積層体22A及び22Bは、Ａ主電極の１つの導電層とＢ主電極の１つの導電層とを含む表面を有する１枚の板、及びＧ主電極の１つの導電層を含む表面を有する１枚の板のみを含む構造を示している。
【００９３】
図２９及び３１は、各々がＡ主電極の１つの導電層とＢ主電極の１つの導電層とを含む表面を有する２枚の板、及びそれらの間のＧ主電極の１つの導電層を含む表面を有する１枚の板のみを含む構造を示している。
【００９４】
図２１−２３は、Ａ主電極の導電層と、Ｂ主電極の導電層と、これらＡ及びＢの主電極の導電層の間のＧ主電極の導電層とを含む表面を有する少なくとも１枚の板を含む構造を示している。
【００９５】
図２２の積層体22E及び22G、並びに図２３の積層体23A、23B及び23Cの各々は、１つの板に含まれるＡ主電極の導電層のかなりの領域が他の板上のＢ主電極の導電層の対応する領域に、それらの間にＧ主電極の導電層の介在なしで対向しているような板を含む構造を示している。
【００９６】
図２２の積層体22H及び図２３の積層体23Cは、積層体の一端又は両端上の最も外側の導電層群が一連となった２つ以上の導電層を有する構造を示している。
【００９７】
図３３は、（１）各々の板がただ１つの主電極の１つの導電層を含む表面を有し、導電層の順序がパターンＡ、Ｇ、Ｂ、Ｇ、Ａ、Ｇ、Ｂに従い、（２）Ａ及びＢの主電極の導電層が実質的に重なり合い、（３）Ｇ主電極の導電層が実質的に上記の重なり合った領域全体に延在し、（４）Ａ主電極の各導電層が対応する板の前端部及び後端部まで延在するＡタブを有し、（５）Ｂ主電極の各導電層が、Ａタブの何れとも重なり合うことなく対応する板の前端部及び後端部まで延在するＢタブを有し、且つ（６）Ｇ主電極の各導電層が対応する板の左側及び右側の端部まで延在している、板の積層体を含む構造を示している。
【００９８】
続いて、図１３−３３について詳細に説明する。これらの図において、紙面の横方向又は縦方向に配置して示される積層体の板は、紙面の横方向又は縦方向に展開される順番で積層体内に存在する。各積層体は紙面に垂直な方向に互いに隔てられた頂部及び底部を含んでいる。また、各積層体の各板は紙面において左側LS、右側RS、上側US及び下側LLSを有するとして図示されている。
【００９９】
図１３は、板1300A、1300B及び1300Cから成る積層体1300を示している。板1300Aは積層体1300のLS、RS、US及びLLSまで一様に延在する誘電体材料を含んでいる。板1300Aの誘電体材料の表面には、Ａ主電極の部分であるように設計された導電層A1とＢ主電極の部分であるように設計された導電層B1とが備えられている。導電層A1とB1とは露出された誘電体表面Dによって互いに隔てられている。導電層A1はLS全体及びUSとLLSとの左端部まで延在するタブA1Tを有している。導電層B1はRS全体及びUSとLLSとの右端部まで延在するタブB1Tを有している。導電層A1は板1300Aの上半分でLSからRSまでの距離の大部分に延在する本体部A1Mを有している。導電層B1は板1300Aの下半分でRSからLSまでの距離の大部分に延在する本体部B1Mを有している。
【０１００】
板1300Bは誘電体材料を含んでおり、その上に導電層G1が備えられている。導電層G1はUSの中央領域に延在するタブG1T1を有している。また、導電層G1はLLSの中央領域に延在するタブG1T2を有している。導電層G1はタブG1T1とG1T2との間の本体部G1Mを有している。
【０１０１】
板1300CはＡ主電極の導電層A2とＢ主電極の導電層B2とを含んでいる。導電層A2とB2とは露出された誘電体表面Dによって互いに隔てられている。導電層A2はLS全体及びUSとLLSとのやはり左端部まで延在するタブA2Tを有している。導電層B2はRS全体及びUSとLLSとのやはり右端部まで延在するタブB2Tを有している。導電層A2は板1300Cの下半分でLSからRSまでの距離の大部分に延在する本体部A2Mを有している。導電層B2は板1300Cの上半分でRSからLSまでの距離の大部分に延在する本体部B2Mを有している。
【０１０２】
図１４は、層1300C、1300B及び1300Aから成る積層体を概略的に示しており、本体部A1M及びB2Mは実質的な重なり領域を有し、本体部A2M及びB1Mは実質的な重なり領域を有し、導電層G1Mは上記の重なり領域の多くの部分に及ぶように延在している。好ましくは、重なり領域は導電層A1Mの面積の20％以上、より好ましくは40％以上、さらに好ましくは60％以上を占めている。好ましくは、G1M層は重なり領域の面積の40％以上、より好ましくは60％以上に及ぶように延在している。
【０１０３】
図１３及び１４の積層体は、いったん形成されると、プリント基板又は相互接続上の取付構造に取り付けられ、Ａ、Ｂ及びＧ主電極の接続を完成させるように適切な位置ではんだ付けされてもよい。他の例では、図１３及び１４の構造は、外部構造の一部を形成し、それによりＡ、Ｂ及びＧ主電極の形成を完成させる導電性バンドを用いて製造されてもよい。
【０１０４】
図１３及び１４は、板1300A、1300B、1300Cを用いるエネルギー調整器を形成する一連の層の単なる典型例である。図１３及び１４の積層体の実施形態に代えて、積層体は1300A、1300B、1300Cの並びの整数回の繰り返しを有していてもよい。他の例では、積層体は1300A、1300B、1300Cの並びに続けて、1300B、1300Cの並び又は1300A、1300Bの並びの何れかの整数回の繰り返しを有していてもよい。他の例では、１枚、２枚又はそれより多くの板1300Bが、積層体の頂部及び底部の何れか又は双方に備えられてもよい。
【０１０５】
図１５−２０はＡ、Ｂ及びＧ主電極の導電層の代替形状を示しており、各板はＡ主電極の導電層とＢ主電極の導電層とを有している。図１３及び１４の実施形態に関して上述されたものと同一の代替例及び組立方法が、図１５−２０の積層体の実施形態にも当てはまる。
【０１０６】
図１５は、LSの一部のみに延在し、その他の側部に及んでいないタブA1Tを有する導電層A1Mを示している。図１６は図１３と同一である。
【０１０７】
図１７は、板1700A、1700B及び1700Cを含む板の積層体を示している。板1700Aは、露出された誘電体DによってLSの中央で分離されたタブA1T1及びA1T2を有する導電層A1Mを有している。板1700Bは、本体部G1Mと各々の側端部のタブ部G1T1、G1T2、G1T3及びG1T4とを含むＧ主電極の導電層を含んでいる。板1700Cは、Ａ及びＢの主電極それぞれの導電層A2及びB2を含んでいる。積層体のA1及びA2、B1及びB2のタブは上下方向に位置整合されている。誘電体表面が板1700A及び1700Cの各側部の中央で露出されている。板の積層体内で上下方向に位置整合され、且つＡ及びＢの電極の導電層を有する板の各側部に存在する誘電体の露出表面の存在により、積層体の各側部に位置整合されたＧタブが、これらＧタブをＡ又はＢタブに短絡させることなく、導電性の接続材料（導電性バンド又は半田）によって接触されるべく存在することが可能になる。図１７の一代替例においては、層G1はUSとLLS、又はLSとRSの何れかに延在する２つのタブのみを有する。
【０１０８】
図１８は、Ａ主電極の導電層の各々が互いに完全には位置整合されていない２つのタブを有する板の積層体を示している。図１８は、USの左側で部分的にのみ位置整合されたタブA1T1及びA2T1を有する層A1及びA2を示している。同様に、Ａ及びＢの層の残りのタブも部分的な重なりを有している。
【０１０９】
図１９は、露出された誘電体DがLS及びRSの中央まで延在するように層A1、B1、A2及びB2のタブの範囲が縮小され、層G1がLS及びRSの中央に延在する２つのタブを含む４つのタブを有していることを除いて、図１８に示された積層体と同様な積層体を示している。図１９の一代替例においては、層G1はUSとLLS、又はLSとRSの何れかに延在する２つのタブのみを有する。
【０１１０】
図２０は、LS、US及びLLSの部分に延在するが如何なるコーナー部及びLSの中央には延在しないタブを層A1が有している積層体を示している。この構成により、Ａ層及び同様にＢ層の積層体の側部に、例えばそれぞれＡ層群及びＢ層群を接続する外部構造3Kの左側及び右側の導電性バンドを用いて、最大で３つの別個の導電性接続が可能にされる。
【０１１１】
図２１は、板2100A、2100B、2100C及び2100Dを含む積層体2100を示している。板2100A及び2100Cの各々は、誘電体Dによって分離されたＡ、Ｂ及びＧ主電極の導電層を含んでいる。板2100Aは、LS全体及びUSとLLSとの左端部に及ぶように延在するタブA1Tを含む導電層A1を含んでいる。板2100Aはまた、RS全体及びUSとLLSとの右端部に及ぶように延在するタブB1Tを含む導電層B1を含んでいる。A1とB1との間には、US及びLLSの中央のタブG1T1及びG1T2までA1及びB1の本体部の間を曲がりながら進む導電層G1が備えられている。板2100Bは、US及びLLSの中央にタブG2T1及びG2T2を有する層G2を含んでいる。板2100Cは層A2、B2及びG3を含んでおり、板2100Aと鏡像の関係にある。板2100Dは板2100Bと同一である。積層体2100は、Ａ及びＢ層群の上下のＧ層群だけでなく、Ａ及びＢ層群の間のＧ層群もＧ主電極に一体化されるように、US及びLLSの中央に全てが位置整合されたＧ層群のタブを有している。他の例では、2100C、2100D、又は2100A、2100Bの何れかの任意の数の繰り返しによって続かれた、あるいは先行された2100A、2100B、2100C及び2100Dという板の並びを含む積層体の並びが実現可能である。これは、単一の板に代えて2100B／2100Dの形態の２枚以上の板を含めること、2100A／2100Cの形態の板の１枚又は交互になった１枚ずつにおいて中央のＧ導電層を含めないこと、及び１枚、２枚又はそれより多くの2100B／2100Dの形態の板を積層体の一端又は両端に含めることによる。
【０１１２】
図２２は積層体22A−22Hを示しており、各々の積層体は板2100A乃至2100Dの更なる代替的な積層体を含んでいる。特に、積層体22A、22B及び22Cは４枚未満の板を有しており、それぞれ、１枚、２枚及び３枚の板若しくは層を有している。
【０１１３】
図２３は、図２１の積層体と同一の板2100A、2100B、2100C、2100Dを用いる積層体23A、23B及び23Cを示している。しかしながら、図２３の並びは、層A1及びB1の導電面の重なり領域が図２１の層G2及びG4のようなＧ主電極の介在導電層を有することなく互いに対向するように鏡像層M、M’の対が隣接しているところ2301が存在する点で、図２１及び２２の並びと異なっている。また、層G2及びG4のようなＧ導電層が、板2302のようなＡ、Ｂ及びＧ導電層が備えられている層を囲んでいる板群も存在している。図２３は、対になった層Ｍ、M’を示している。他の例では、積層体の並びは、図２１の層G2及びG4のような単一のＧ層を有する層があろうとなかろうと、互いに隣接するＭ、Ｍ’の対の任意の数の繰り返しを含んでいてもよい。好ましくは、導電層が存在する層が総数で奇数個存在し、Ｇ主電極の部分を形成する層のみが存在する層が総数で奇数個存在する。
【０１１４】
図２４は、異なる形状及び大きさの板を示す上述の実施形態からの様々な形状を有する板を含む積層体を示しており（頂部の板は図１８の左側と同一の導電パターンを有し、頂部から２番目の板は図１３のG1の導電パターンを有し、３番目の板は図１９からの板の導電パターンを有し、４番目の板は誘電体スペーサ領域を表し、そして５番目の板は３番目の板と同様である）、不均一な間隔が存在し得ることが本発明の発明者によって意図される。このような層の変更及び変形の全ては意図される範囲内のものである。
【０１１５】
図２５−２８は、２つのみの平面上の導電層と様々な外部構造とを含むエネルギー調整器を示している。
【０１１６】
図２５は、板2500A及び2500Bを含む積層体25Aを示している。板2500Aの上面は導電層A1、導電層B1及び露出された誘電体材料Dから形成されている。板2500Bの上面は導電層G1及び露出された誘電体材料Dから形成されている。A1はUSの左端部付近のタブA1T1とLLSの左端部付近のタブA1T2とを有している。G1はUSの中央のタブG1T1とLLSの中央のタブG1T2とを有している。A1はRSに延在しておらず、B1はLSに延在していない。A1は本体部A1Mを有し、B1は本体部B1Mを有している。A1MはLLS及びLSよりもUS及びRSに近い位置まで延在している。B1MはUS及びRSよりもLS及びLLSに近い位置まで延在している。
【０１１７】
図２６は、（１）積層体25A及び（２）図３Ａの外部構造3Aの構成により定められるエネルギー調整器を概略的に示している。この構成においては、タブA1T1及びA1T2は導電性バンドC1の内表面に接触しており、タブG1T1及びG1T2はそれぞれバンドC2及びC4の内表面に接触しており、そしてタブB1T1及びB1T2は導電性バンドC3の内表面に接触している。
【０１１８】
外部構造の一代替例においては、第３の導電性統合構造及び第４の導電性統合構造が、エネルギー調整器の外表面の周りに単一の導電性バンドを形成する。
【０１１９】
図２７は、板2500A及び2700Bを含む積層体27Aを示している。板2700Bは、層G1のタブG1T1及びG1T2がUS及びLLSではなくLS及びRSにある点で、板2500Bと異なっている。
【０１２０】
図２８は、（１）積層体27A及び（２）図３Ａの外部構造3Aの構成により定められるエネルギー調整器を概略的に示している。タブA1T1及びB1T1は導電性バンドC3の内表面に接触しており、タブA1T2及びB1T2は導電性バンドC1の内表面に接触しており、タブG1T1は導電性バンドC2の内表面に接触しており、タブG1T2は導電性バンドC4の内表面に接触している。このエネルギー調整器においては、Ａ及びＢの主電極は共に、導電性バンドC1、C3によってタブの端部で導電的に結合されている。
【０１２１】
図２９−３２は、３つの平面上の導電層と様々な外部構造とを含むエネルギー調整器を示している。
【０１２２】
図２９は、板2500A及び2500Bを含む積層体29Aを示している。積層体29Aはまた、板2500Bに対して板2500Aの反対側にあり且つ板2500Aと同一の層パターンを有するもう１枚の板2500Cを含んでいる。板2500Cは要素A2T1、A2T2、B2T1、B2T2、A2M及びB2Mを有しており、これらの要素は板2500Aの対応する要素に位置整合されている。板2500Cは、タブA2T1、A2T2、B2T1及びB2T2を含む、板2500Aの対応するタブに位置整合されたタブを有する導電層A2及びB2を有している。さらに、板2500Cは図２５に示されるようなA1M及びB1Mを有している。
【０１２３】
図２９及び積層体29Aの代替例では、板2500Aの中心を通る縦線により定められる鏡に関して板2500Aの導電パターンと鏡像の関係にある導電パターンを有する板によって、板2500Cが置き換えられてもよい。この代替例においては、例えば、導電性タブA1T1及びA2T2は依然として上下方向に位置整合されており、導電性バンドC1の内表面への接触によって導電的に接続される。しかしながら、この代替例においては、A1MはB2Mと実質的な重なりを有し、A2MはB1Mと実質的な重なりを有する。
【０１２４】
図３０は、（１）積層体29A及び（２）図３Ａの外部構造3Aの構成により定められるエネルギー調整器を概略的に示している。この構造においては、同一の主電極の導電層に含まれるタブは積層体内で位置整合されて、導電性バンド構造に接触している。例えば、タブA1T1及びA2T1は位置整合されて導電性バンドC1の内表面に接触している。積層体29Aの一代替例においては、上述のように、A1MはB2Mと実質的な重なりを有し、A2MはB1Mと実質的な重なりを有する。他の実施形態を用いた場合のように、更なる代替的な積層体は、積層体29Aの３枚の板の並びの繰り返し、2500A、2500B及び2500Cの不規則な並び、及び上述の2500Cへの変更を含む。
【０１２５】
図３１は、板2500A及び2500Bを含む積層体31Aを示している。積層体31Aはまた、板2500Bに対して板2500Aの反対側にあり且つ板2500Aと同一の層パターンを有するもう１枚の板2500Cを含んでいる。板2500Cは、タブA2T1、A2T2、B2T1及びB2T2を含む、板2500Aの対応するタブに位置整合されたタブを有する導電層A2及びB2を有している。
【０１２６】
図３２は、（１）積層体31A及び（２）図３Ａの外部構造3Aの構成により定められるエネルギー調整器を概略的に示している。この構造においては、同一の主電極の導電層に含まれるタブは積層体内で位置整合されて、導電性バンド構造に接触している。例えば、タブA1T1及びA2T1は位置整合されて導電性バンドC1の内表面に接触している。
【０１２７】
図３１の代替例では、板2500Aの中心を通る縦線により定められる鏡に関して板2500Aの導電パターンと鏡像の関係にある導電パターンを有する板によって、板2500Cが置き換えられてもよい。この代替例においては、例えば、導電性タブA1T1及びA2T2は依然として上下方向に位置整合されており、導電性バンドC1の内表面への接触によって導電的に接続される。他の実施形態を用いた場合のように、更なる代替的な積層体は、積層体31Aの３枚の板の並びの繰り返し、2500A、2500B及び2500Cの不規則な並び、及び上述の2500Cへの変更を含む。
【０１２８】
図３３は、一連の板3300A、3300B、3300C、3300B、3300A、3300B、3300Cを含む積層体33Aを示している。
【０１２９】
板3300Aの各々は、導電層A1及び誘電体の露出面Dから成る上面を有している。導電層A1はタブA1T1、A1T2及び本体部AMBから構成されている。導電層A1はＡ主電極の部分である。タブA1T1はLS付近のUSまで延在している。タブA1T2はLS付近のLLSまで延在している。AMBはタブA1T1及びA1T2からRSに向かって延在している。
【０１３０】
板3300Bの各々は、導電層G1及び誘電体の露出面Dから成る上面を有している。導電層G1はタブG1T1、G1T2及び本体部GMBから構成されている。タブG1T1はLSの中央部まで延在している。タブG1T2はRSの中央部まで延在している。
【０１３１】
板3300Cの各々は、導電層B1及び誘電体の露出面Dから成る上面を有している。導電層B1はタブB1T1、B1T2及び本体部BMBから構成されている。導電層B1はＢ主電極の部分である。タブB1T1はRS付近のUSまで延在している。タブB1T2はRS付近のLLSまで延在している。BMBは双方のタブB1T1及びB1T2から中央に向かって延在している。
【０１３２】
積層体33Aはまた該積層体の頂部に、導電層を有していない誘電体の板を示している。この誘電体の覆いは、これがなくて導電層が覆われていない場合に起こり得るような導電層が外部の導電性材料に短絡されることが起こらない状態を表している。
【０１３３】
積層体33Aの代替例は、板3300A、3300B、3300C、3300B、3300A、3300B、3300Cの並びの１以上の繰り返しや、一連の板3300A、3300B、3300C、3300B、3300A、3300B、3300Cの頂部又は底部に付加された板3300A、3300B、3300Cの並びの１以上の繰り返しを含む。
【０１３４】
積層体33Aは、様々な接続を提供する多様な外部構造にて組み立てられ得る。積層体33Aと図３Ｉの外部構造3Iとから成る組立体においては、導電層A1のタブA1T2がバンドC4の内表面に接触し、タブA1T1がバンドC2の内表面に接触し、タブB1T2がバンドC6の内表面に接触し、タブB1T1がバンドC5の内表面に接触し、タブG1T1がバンドC1のLSの内表面に接触し、そしてタブG1T2がバンドC3のRSの内表面に接触することになる。
【０１３５】
これに代わる組立体においては、積層体33Aは外部構造3A又は３Gの何れかと組み立てられ、Ｇ導電層のタブがバンドC2及びC4の内表面に接触する。これらの代替例においては、バンドC1はＡ導電層の両端部にあるタブに接触し、それによりタブA1T1からタブA1T2への２つの並列の導電経路、すなわち、タブ間に直接的に位置する導電経路とバンドC1の接続構造を介した導電経路とが形成される。同様に、バンドC3によって同一のＢ層のＢタブ群から２つの並列の導電経路が形成される。
【０１３６】
以上により、実施形態と開示された新規な概念の範囲に含まれる代替例が説明された。
【図面の簡単な説明】
【０１３７】
【図１Ａ】従来の高速ＶＬＳＩ集積回路（超大規模集積回路）チップ用の、プリント基板とも呼ばれる、従来のデジタル回路基板を示す平面図である。
【図１Ｂ】図１Ａの従来基板の端部の一部を概略的に示す側断面図である。
【図２Ａ】パッドを介して基板に搭載された３つ以上の端子を有するエネルギー調整器を含む構造を示す部分的な側断面図であり、ビアが調整器と基板の導電面とを接続していることを示している。
【図２Ｂ】電源面、グランド面、及びそれらへの複数端子調整器の接続を示す他の側断面図である。
【図３Ａ】新規なエネルギー調整器の外表面、特に、導電性バンド構造Ｃの表面と誘電体Ｄの表面とを示す図である。
【図３Ｂ】新規なエネルギー調整器の外表面、特に、導電性バンド構造Ｃの表面と誘電体Ｄの表面とを示す図である。
【図３Ｃ】新規なエネルギー調整器の外表面、特に、導電性バンド構造Ｃの表面と誘電体Ｄの表面とを示す図である。
【図３Ｄ】新規なエネルギー調整器の外表面、特に、導電性バンド構造Ｃの表面と誘電体Ｄの表面とを示す図である。
【図３Ｅ】新規なエネルギー調整器の外表面、特に、導電性バンド構造Ｃの表面と誘電体Ｄの表面とを示す図である。
【図３Ｆ】新規なエネルギー調整器の外表面、特に、導電性バンド構造Ｃの表面と誘電体Ｄの表面とを示す図である。
【図３Ｇ】新規なエネルギー調整器の外表面、特に、導電性バンド構造Ｃの表面と誘電体Ｄの表面とを示す図である。
【図３Ｈ】新規なエネルギー調整器の外表面、特に、導電性バンド構造Ｃの表面と誘電体Ｄの表面とを示す図である。
【図３Ｉ】新規なエネルギー調整器の外表面、特に、導電性バンド構造Ｃの表面と誘電体Ｄの表面とを示す図である。
【図３Ｊ】新規なエネルギー調整器の外表面、特に、導電性バンド構造Ｃの表面と誘電体Ｄの表面とを示す図である。
【図３Ｋ】新規なエネルギー調整器の外表面、特に、導電性バンド構造Ｃの表面と誘電体Ｄの表面とを示す図である。
【図４Ａ】新規な個別部品エネルギー調整器が取り付けられ得る導電性パッド及び／又はビア構造を含む、取付面構造の導電性要素の構成を示す平面図である。
【図４Ｂ】新規な個別部品エネルギー調整器が取り付けられ得る導電性パッド及び／又はビア構造を含む、取付面構造の導電性要素の構成を示す平面図である。
【図４Ｃ】新規な個別部品エネルギー調整器が取り付けられ得る導電性パッド及び／又はビア構造を含む、取付面構造の導電性要素の構成を示す平面図である。
【図４Ｄ】新規な個別部品エネルギー調整器が取り付けられ得る導電性パッド及び／又はビア構造を含む、取付面構造の導電性要素の構成を示す平面図である。
【図４Ｅ】新規な個別部品エネルギー調整器が取り付けられ得る導電性パッド及び／又はビア構造を含む、取付面構造の導電性要素の構成を示す平面図である。
【図４Ｆ】新規な個別部品エネルギー調整器が取り付けられ得る導電性パッド及び／又はビア構造を含む、取付面構造の導電性要素の構成を示す平面図である。
【図４Ｇ】新規な個別部品エネルギー調整器が取り付けられ得る導電性パッド及び／又はビア構造を含む、取付面構造の導電性要素の構成を示す平面図である。
【図４Ｈ】新規な個別部品エネルギー調整器が取り付けられ得る導電性パッド及び／又はビア構造を含む、取付面構造の導電性要素の構成を示す平面図である。
【図４Ｉ】新規な個別部品エネルギー調整器が取り付けられ得る導電性パッド及び／又はビア構造を含む、取付面構造の導電性要素の構成を示す平面図である。
【図４Ｊ】新規な個別部品エネルギー調整器が取り付けられ得る導電性パッド及び／又はビア構造を含む、取付面構造の導電性要素の構成を示す平面図である。
【図４Ｋ】新規な個別部品エネルギー調整器が取り付けられ得る導電性パッド及び／又はビア構造を含む、取付面構造の導電性要素の構成を示す平面図である。
【図４Ｌ】新規な個別部品エネルギー調整器が取り付けられ得る導電性パッド及び／又はビア構造を含む、取付面構造の導電性要素の構成を示す平面図である。
【図４Ｍ】新規な個別部品エネルギー調整器が取り付けられ得る導電性パッド及び／又はビア構造を含む、取付面構造の導電性要素の構成を示す平面図である。
【図４Ｎ】新規な個別部品エネルギー調整器が取り付けられ得る導電性パッド及び／又はビア構造を含む、取付面構造の導電性要素の構成を示す平面図である。
【図４Ｏ】新規な個別部品エネルギー調整器が取り付けられ得る導電性パッド及び／又はビア構造を含む、取付面構造の導電性要素の構成を示す平面図である。
【図５Ａ】ビアの幾何学的関係を示す平面図である。
【図５Ｂ】ビアの幾何学的関係を示す平面図である。
【図６Ａ】パッド当たり２つのビアを有する場合の、導電性パッド及びビアを含む取付面構造要素の配列上への新規なエネルギー調整器の結合を示す概略図である。
【図６Ｂ】パッド当たり２つのビアを有し、且つエネルギー調整器の左側及び右側の導電性端子、キャップ、又はバンド（帯）に中央のパッドが接触するように中央のパッドが外側の２つのパッドより延在している場合の、導電性パッド及びビアを含む取付面構造要素の配列上への新規なエネルギー調整器の結合を示す概略図である。
【図６Ｃ】導電性パッド及びビアを含む取付面構造要素の配列上への新規なエネルギー調整器の結合を示す上面図であり、調整器の端子とビアとの重なりを示している。
【図７】Ａ、Ｂ及びＧ主電極を有するエネルギー調整器とともに使用される回路１を部分的に示す概略図である。
【図８】Ａ、Ｂ及びＧ主電極を有するエネルギー調整器とともに使用される回路２を部分的に示す概略図である。
【図９】Ａ、Ｂ及びＧ主電極を有するエネルギー調整器とともに使用される回路３を部分的に示す概略図である。
【図１０】Ａ、Ｂ及びＧ主電極を有するエネルギー調整器とともに使用される回路４を部分的に示す概略図である。
【図１１】Ａ、Ｂ及びＧ主電極を有するエネルギー調整器とともに使用される回路５を部分的に示す概略図である。
【図１２】Ａ、Ｂ及びＧ主電極を有するエネルギー調整器とともに使用される回路６を部分的に示す概略図である。
【図１３】新規なエネルギー調整器内の３枚の板の積層体の分解図であり、板状の要素が紙面の横方向に並べられている。
【図１４】図１３の板の組立体を概略的に示す平面図である。
【図１５】新規なエネルギー調整器内の３枚の板の積層体の分解図であり、板状の要素が紙面の横方向に並べられている。
【図１６】新規なエネルギー調整器内の３枚の板の積層体の分解図であり、板状の要素が紙面の横方向に並べられている。
【図１７】新規なエネルギー調整器内の３枚の板の積層体の分解図であり、板状の要素が紙面の横方向に並べられている。
【図１８】新規なエネルギー調整器内の３枚の板の積層体の分解図であり、板状の要素が紙面の横方向に並べられている。
【図１９】新規なエネルギー調整器内の３枚の板の積層体の分解図であり、板状の要素が紙面の横方向に並べられている。
【図２０】新規なエネルギー調整器内の３枚の板の積層体の分解図であり、板状の要素が紙面の横方向に並べられている。
【図２１】新規なエネルギー調整器内の４枚の板の積層体の分解図であり、板状の要素が紙面の横方向に並べられている。
【図２２】新規なエネルギー調整器の板の積層体22A−22Hの一組の分解図であり、各積層体の板が紙面の縦方向に並べられている。
【図２３】新規なエネルギー調整器の板の積層体23A−23Cの一組の分解図であり、各積層体の板が紙面の縦方向に並べられている。
【図２４】新規なエネルギー調整器の板の積層体の分解図であり、板が紙面の縦方向に並べられている。
【図２５】新規なエネルギー調整器の２枚の板の組の分解図であり、板が紙面の横方向に並べられている。
【図２６】図２５に示された２枚の板の積層体を含む新規なエネルギー調整器の外表面を示す斜視図である。
【図２７】新規なエネルギー調整器の２枚の板の組の分解図であり、板が紙面の横方向に並べられている。
【図２８】図２７に示された２枚の板の積層体を含む新規なエネルギー調整器の外表面を示す斜視図である。
【図２９】新規なエネルギー調整器の２枚の板の組の分解図であり、板が紙面の横方向に並べられている。
【図３０】図２９に示された２枚の板の積層体を含む新規なエネルギー調整器の外表面を示す斜視図である。
【図３１】新規なエネルギー調整器の２枚の板の組の分解図であり、板が紙面の横方向に並べられている。
【図３２】図３１に示された２枚の板の積層体を含む新規なエネルギー調整器の外表面を示す斜視図である。
【図３３】新規なエネルギー調整器の８枚の板の積層体の分解図であり、板が紙面の縦方向に並べられている。
【図１Ａ】
2008537843.tif 000002
【図１Ｂ】
2008537843.tif 000003
【図２Ａ】
2008537843.tif 000004
【図２Ｂ】
2008537843.tif 000005
【図３Ａ】
2008537843.tif 000006
【図３Ｂ】
2008537843.tif 000007
【図３Ｃ】
2008537843.tif 000008
【図３Ｄ】
2008537843.tif 000009
【図３Ｅ】
2008537843.tif 000010
【図３Ｆ】
2008537843.tif 000011
【図３Ｇ】
2008537843.tif 000012
【図３Ｈ】
2008537843.tif 000013
【図３Ｉ】
2008537843.tif 000014
【図３Ｊ】
2008537843.tif 000015
【図３Ｋ】
2008537843.tif 000016
【図４Ａ】
2008537843.tif 000017
【図４Ｂ】
2008537843.tif 000018
【図４Ｃ】
2008537843.tif 000019
【図４Ｄ】
2008537843.tif 000020
【図４Ｅ】
2008537843.tif 000021
【図４Ｆ】
2008537843.tif 000022
【図４Ｇ】
2008537843.tif 000023
【図４Ｈ】
2008537843.tif 000024
【図４Ｉ】
2008537843.tif 000025
【図４Ｊ】
2008537843.tif 000026
【図４Ｋ】
2008537843.tif 000027
【図４Ｌ】
2008537843.tif 000028
【図４Ｍ】
2008537843.tif 000029
【図４Ｎ】
2008537843.tif 000030
【図４Ｏ】
2008537843.tif 000031
【図５Ａ】
2008537843.tif 000032
【図５Ｂ】
2008537843.tif 000033
【図６Ａ】
2008537843.tif 000034
【図６Ｂ】
2008537843.tif 000035
【図６Ｃ】
2008537843.tif 000036
【図７】
2008537843.tif 000037
【図８】
2008537843.tif 000038
【図９】
2008537843.tif 000039
【図１０】
2008537843.tif 000040
【図１１】
2008537843.tif 000041
【図１２】
2008537843.tif 000042
【図１３】
2008537843.tif 000043
【図１４】
2008537843.tif 000044
【図１５】
2008537843.tif 000045
【図１６】
2008537843.tif 000046
【図１７】
2008537843.tif 000047
【図１８】
2008537843.tif 000048
【図１９】
2008537843.tif 000049
【図２０】
2008537843.tif 000050
【図２１】
2008537843.tif 000051
【図２２】
2008537843.tif 000052
【図２３】
2008537843.tif 000053
【図２４】
2008537843.tif 000054
【図２５】
2008537843.tif 000055
【図２６】
2008537843.tif 000056
【図２７】
2008537843.tif 000057
【図２８】
2008537843.tif 000058
【図２９】
2008537843.tif 000059
【図３０】
2008537843.tif 000060
【図３１】
2008537843.tif 000061
【図３２】
2008537843.tif 000062
【図３３】
2008537843.tif 000063